(57)【要約】【課題】端子盤の設置現場で必要に応じて即座に端子台の各端子に接続される各フィールド機器の属性情報を確認できる作業性および操作性の優れた電子機器を実現すること。【解決手段】ベースプレートに複数のモジュールを着脱可能に取り付けるように構成された電子機器において、  前記モジュールは端子台モジュールを含み、  この端子台モジュールの引き出し端部側には開閉可能な扉が設けられ、この扉には前記端子台に接続される機器の属性情報表示部が設けられていることを特徴とするもの。【選択図】  図１
2016092219.tif 000002
【特許請求の範囲】
【請求項１】
ベースプレートに複数のモジュールを着脱可能に取り付けるように構成された電子機器において、
前記モジュールは端子台モジュールを含み、
この端子台モジュールの引き出し端部側には開閉可能な扉が設けられ、この扉には前記端子台に接続される機器の属性情報表示部が設けられていることを特徴とする電子機器。
【請求項２】
前記属性情報表示部は前記扉に開閉可能に設けられていることを特徴とする請求項１に記載の電子機器。
【請求項３】
前記端子台に接続される機器は制御システムのフィールド側に設置されるフィールド機器であることを特徴とする請求項１または請求項２に記載の電子機器。
【発明の詳細な説明】
【技術分野】
【０００１】
本発明は、電子機器に関し、詳しくは、ベースプレートに複数のモジュールを着脱可能に取り付けるように構成された電子機器に関するものである。
【背景技術】
【０００２】
電子機器の一種に、ベースプレートに複数のモジュールを着脱可能に取り付けるように構成されたものがある。
【０００３】
図６は、このような電子機器を用いて構成される制御システムの一例を示すブロック図である。図６において、フィールドコントロールステーション１０は、複数の入出力モジュール１１と、電源モジュールや上位システムとの間で各種信号の授受を制御する制御モジュールなどの各種の機能モジュール１２が図示しないベースプレートに設けられた第１の端子盤に着脱可能に嵌合接続されている。
【０００４】
フィールドコントロールステーション１０は、ケーブル２０を介して第２の端子盤３０と接続されている。第２の端子盤３０には、システム側のケーブル２０が図示しないコネクタを介して着脱可能に嵌合接続されるコネクタ３１、フィールド側の図示しないセンシング機器やモータ、バルブなどのフィールド機器の配線が接続される端子台３２、コネクタ３１と端子台３２とを機械的かつ電気的に接続する信号系統を必要に応じて機械的に遮断する断路部材３３などが設けられている。
【０００５】
断路部材３３は、たとえばシステムの立ち上げや保守時にそれぞれの信号系統のシステム側またはフィールド側における状態を個別に確認することを目的として設けられたもので、該当する信号系統の断路部材３３を第２の端子盤３０から抜去することにより、システム側とフィールド側の間で信号の授受を行う信号入出力系統を機械的に遮断する。
【０００６】
これらフィールドコントロールステーション１０や端子盤３０は、たとえばＤＩＮレールに着脱可能に取り付けられる。図７では、端子盤３０の背面がＤＩＮレール４０に取り付けられた状態を示している。
【０００７】
図７は、図６の入出力モジュール１１の具体的な構成例図である。（Ａ）は入出力モジュール１１の前面に着脱可能な複数種類の端子ブロック１１ａ、１１ｂ、１１ｃを用意しておき、用途に応じたものに交換して取り付ける例を示している。（Ｂ）は入出力モジュール１１にコネクタ１１ｄを介してケーブルを接続する例を示している。（Ｃ）は入出力モジュール１１に信号線を接続するためのカバー付の端子盤１１ｅを設けた例を示している。これらの入出力モジュール１１も図示しないＤＩＮレールに取り付けられる。
【０００８】
図８は、図６の入出力モジュール１１の他の具体的な構成例図である。（Ａ）、（Ｂ）は発熱量が大きい入出力モジュール１１のケース１１ｆ、１１ｇを熱伝導性の優れたアルミ材で構成したものであり、（Ｃ）はネスト(エンクロージャー)１１ｈ全体をアルミ材で構成したものである。これらの入出力モジュール１１も図示しないＤＩＮレールに取り付けられる。
【０００９】
特許文献１には、ＤＩＮレールに最小限のスペースで横滑りしないように固定でき、基板を金属ケースの中に収納したＤＩＮレール取付け形ターミナルボードの構成が記載されている。
【先行技術文献】
【特許文献】
【００１０】
【特許文献１】特開２０１２−１３４３５２号公報
【発明の開示】
【発明が解決しようとする課題】
【００１１】
図６に示す制御システムの構成によれば、フィールドコントロールステーション１０とフィールド機器の配線が接続される端子盤３０は互いに独立した個別の機器として構成されていて、それぞれがＤＩＮレール４０に取り付けられるとともにケーブル２０を介して接続されている。
【００１２】
作業者が制御システムの保守点検や調整設定などを行うのにあたり、端子盤３０の端子台３２に配線を介して接続されるフィールド機器の種別や名称や配線信号名などの属性情報を確認するためには、別途作成されている端子台３２の各端子に対する各フィールド機器の割り当てリストを手元に備えておいて参照しなければならず、作業性や操作性がよくないという問題がある。
【００１３】
本発明は、このような課題を解決するものであり、その目的は、端子盤の設置現場で必要に応じて即座に端子台の各端子に接続される各フィールド機器の属性情報を確認できる作業性および操作性の優れた電子機器を実現することにある。
【課題を解決するための手段】
【００１４】
このような課題を達成するために、本発明のうち請求項１記載の発明は、
ベースプレートに複数のモジュールを着脱可能に取り付けるように構成された電子機器において、
前記モジュールは端子台モジュールを含み、
この端子台モジュールの引き出し端部側には開閉可能な扉が設けられ、この扉には前記端子台に接続される機器の属性情報表示部が設けられていることを特徴とする。
【００１５】
請求項２記載の発明は、請求項１に記載の電子機器において、
前記属性情報表示部は前記扉に開閉可能に設けられていることを特徴とする。
【００１６】
請求項３記載の発明は、請求項１または請求項２に記載の電子機器において、
前記端子台に接続される機器は制御システムのフィールド側に設置されるフィールド機器であることを特徴とする。
【発明の効果】
【００１７】
これらの構成により、作業者は、必要に応じて、端子盤の設置現場で端子台モジュールの引き出し端部側に設けられている扉を開くことにより、端子台の各端子に接続される各フィールド機器の属性情報を確認でき、作業性および操作性の優れた電子機器を実現できる。
【図面の簡単な説明】
【００１８】
【図１】本発明に基づく電子機器の一実施例を示す構成説明図である。
【図２】本発明に基づく電子機器の一実施例を示す構成説明図である。
【図３】扉１３３の具体例を示す構成説明図である。
【図４】端子台モジュール１３０の具体例を示す構成説明図である。
【図５】端子台モジュール１３０の具体例を示す構成説明図である。
【図６】従来の制御システムの一例を示すブロック図である。。
【図７】図６の入出力モジュール１１の具体的な構成例図である。
【図８】図７の入出力モジュール１１の他の具体的な構成例図である。
【発明を実施するための最良の形態】
【００１９】
以下、本発明の実施の形態について、図面を用いて詳細に説明する。図１および図２は本発明に基づく電子機器の一実施例を示す構成説明図であって、（Ａ）は全体の斜視図、（Ｂ）は上面図であり、図１は端子台モジュール１３０の扉１３３を閉じた状態を示し、図２は端子台モジュール１３０の扉１３３を開いた状態を示している。
【００２０】
図１および図２において、ベースプレート１００の前面には、同一機能を有する２個の入出力モジュール１１０ａ、１１０ｂが図示しないコネクタを介して嵌合接続され、所定のオプション機能を有する機能別モジュールとしての複数のプラグインモジュール１２０が図示しないコネクタを介して嵌合接続され、複数の端子ブロックを有する端子台モジュール１３０が図示しないコネクタを介して嵌合接続されている。これら各構成要素の着脱は、前面からアクセスして作業することにより、比較的簡単に行える。なお、ベースプレート１００の背面は、図示しないＤＩＮレールに着脱可能に取り付けられる。
【００２１】
これら２個の入出力モジュール１１０ａ、１１０ｂと複数のプラグインモジュール１２０と端子台モジュール１３０の奥行方向の長さは、これらがベースプレート１００に取り付けられた状態におけるそれぞれの引き出し端部側の端面がベースプレート１００の一方の側から他方の側に向かって階段状になるように設計されている。
【００２２】
本実施例では、ベースプレート１００に取り付けられた状態における入出力モジュール１１０ａ、１１０ｂと複数のプラグインモジュール１２０と端子台モジュール１３０の引き出し端部側の端面は、入出力モジュール１１０ａ、１１０ｂ＞プラグインモジュール１２０＞端子台モジュール１３０の関係になるように設定されている。
【００２３】
２個の入出力モジュール１１０ａ、１１０ｂはマスター／スレーブ関係で動作するものであって、マスターとして動作している一方の入出力モジュール（たとえば１１０ａ）が故障した場合にはスレーブとして動作している他方の入出力モジュール（たとえば１１０ｂ）がマスターとして代替動作するように冗長化され、二重化駆動される。これにより、入出力モジュール１１０の故障に起因する動作停止を最小限に抑制できる。
【００２４】
プラグインモジュール１２０は、入出力モジュール１１０ａ、１１０ｂには実装されていないリレーによる信号変換機能、絶縁機能、断路機能、ヒューズ機能などのオプション機能を、各信号系統に個別に付加するものである。プラグインモジュール１２０の引き出し端部側である前面には、前面レバーがプラグインモジュール１２０の前面を覆うようにして、その一端近傍が取付軸に対して回転可能に取り付けられている。
【００２５】
プラグインモジュール１２０にオプション機能としてたとえば断路機能を実装することにより従来の端子盤３０に設けられていた断路部材３３を不要にでき、ヒューズ機能を実装することにより従来の端子盤３０に設けられていたヒューズを不要にできる。
【００２６】
端子台モジュール１３０は、ハウジング１３１と、ハウジング１３１に収納された複数の端子ブロック１３２と、ハウジング１３１の引き出し端部側である前面に開閉可能に設けられた扉１３３などで構成されている。
【００２７】
図３は、扉１３３の具体例を示す構成説明図である。扉１３３は、扉１３３の本体１３３ａと、本体１３３ａの開閉操作辺１３３ｂに開閉可能に設けられた属性情報表示部１３３ｃとで構成されている。
【００２８】
属性情報表示部１３３ｃには、端子台モジュール１３０に設けられている端子ブロック１３２の各端子に配線を介して接続されるフィールド機器の種別や名称などの属性情報が各端子に対応するようにして書き込まれている。
【００２９】
ここで、端子台モジュール１３０の扉１３３は、図２（Ｂ）に示すように、ベースプレート１００に入出力モジュール１１０ａ、１１０ｂと複数のプラグインモジュール１２０と端子台モジュール１３０が取り付けられた状態において、扉１３３を開いたとき、扉１３３の本体１３３ａの開閉操作辺１３３ｂがプラグインモジュール１２０の引き出し端部側の端面よりも突出するように設定されている。
【００３０】
これにより、ベースプレート１００に入出力モジュール１１０ａ、１１０ｂと複数のプラグインモジュール１２０と端子台モジュール１３０が取り付けられた状態において、端子台モジュール１３０の引き出し端部側の端面の高さが他の入出力モジュール１１０ａ、１１０ｂおよび複数のプラグインモジュール１２０に対して最も低いにも拘わらず、扉１３３を開くことによって扉１３３の本体１３３ａの開閉操作辺１３３ｂがプラグインモジュール１２０の引き出し端部側の端面よりも前面に突出することになる。
【００３１】
この結果、作業者は、端子台モジュール１３０に隣接するプラグインモジュール１２０の引き出し端部側の端面に制限されることなく属性情報表示部１３３ｃを時計方向に１８０°を超える任意の角度で回転させることができるので、属性情報表示部１３３ｃの回転角度を属性情報を最も読みやすい所望の角度に設定でき、制御システムの保守点検や調整設定などを効率よく実行できる。
【００３２】
図４は端子台モジュール１３０の具体例を示す構成説明図であって、（Ａ）は扉１３３を閉じた状態を示し、（Ｂ）は扉１３３の本体１３３ａを時計方向にほぼ９０°に開いて属性情報表示部１３３ｂは閉じた状態を示し、（Ｃ）は（Ｂ）の状態から属性情報表示部１３３ｂも本体１３３ａとほぼ水平な同一面になるように時計方向にほぼ１８０°に開いた状態を示し、（Ｄ）は（Ｃ）の状態から属性情報表示部１３３ｂをさらに時計方向に開いた状態を示している。
【００３３】
図５も端子台モジュール１３０の具体例を示す構成説明図であり、（Ａ）は組立構成図、（Ｂ）はベースプレート１００への着脱説明図である。図５において、端子ブロック１３２の図示しない接続ピンは可撓性プリント配線１３４を介してプリント配線板１３５に設けられている図示しないコネクタに接続された状態でハウジング１３１に収納され、端子台モジュール１３０として一体化されている。なお、プリント配線板１３５は、基板の水平方向に多少移動できる状態でハウジング１３１に取り付けられている。
【００３４】
端子台モジュール１３０をベースプレート１００に着脱するのにあたり、端子台モジュール１３０を構成するプリント配線板１３５は、プリント配線板１３５に設けられている図示しないコネクタがベースプレート１００に設けられているコネクタＣＮ１、ＣＮ２とスムーズに嵌合接続されるように基板の水平方向に多少移動できることから、端子台モジュール１３０の着脱を短時間で行えるとともに、端子台モジュール１３０の組立における公差条件をプリント配線板１３５が固定取付されている場合に比べて緩和でき、組立作業を効率よく行うことができる。
【００３５】
以上説明したように、本発明によれば、ベースプレートに複数のモジュールを着脱可能に取り付けるように構成され、作業性および操作性の優れた電子機器を実現できる。
【符号の説明】
【００３６】
１００  ベースプレート
１１０  入出力モジュール
１２０  プラグインモジュール
１３０  端子台モジュール
１３１  ハウジング
１３２  端子ブロック
１３３  扉
１３３ａ  本体
１３３ｂ  開閉操作辺
１３３ｃ  属性情報表示部
【図１】
2016092219.tif 000003
【図２】
2016092219.tif 000004
【図３】
2016092219.tif 000005
【図４】
2016092219.tif 000006
【図５】
2016092219.tif 000007
【図６】
2016092219.tif 000008
【図７】
2016092219.tif 000009
【図８】
2016092219.tif 000010